(57)【要約】【課題】試料台２の上に供給口６ａが細くなった供給容器６から超音波伝播媒体を供給するとき、供給口６ａの先端が試料２や顕微鏡本体４に触れたり、供給容器６から超音波伝播媒体を徐々に僅かずつ供給して、超音波伝播媒体５の液溜まりを作らないと、超音波伝播媒体５が飛んでしまうという問題があった。【解決手段】１は駆動装置、２は試料台、３は試料、４は超音波顕微鏡本体、５は液溜まり、６は供給容器でこれらの構成は上記従来例と同じであるので、説明は省略するが、本実施例では、超音波顕微鏡本体の側部に伝播媒体供給部材７の一端７ａが固着され、伝播媒体供給部材７の下端は超音波顕微鏡本体４の下方に曲げられている。【選択図】        図１
2005043114.tif 000002
【特許請求の範囲】
【請求項１】
駆動装置で一方向に前後可能に装着された試料台と、該試料台の上に装着された試料と、該試料に対向して装着され、前記駆動装置で移動される試料台の移動方向に対して直交方向に移動可能に装着された顕微鏡本体と、該顕微鏡本体の側面に装着され、前記顕微鏡本体の下方に延びている超音波伝播媒体供給部材とからなり、該伝播媒体供給部材に沿って超音波伝播媒体を供給容器から前記試料の周囲に供給することを特徴とする超音波顕微鏡。
【請求項２】
前記伝播媒体供給部材を前記顕微鏡本体に取り外し可能に装着することを特徴とする請求項１記載の超音波顕微鏡。
【請求項３】
前記伝導媒体供給部材は長さ方向に中空部を構成し、該中空部を介して超音波伝播媒体を前記試料の周囲に供給することを特徴とする請求項１記載の超音波顕微鏡。
【請求項４】
前記伝導媒体供給部材は長さ方向に溝部を構成し、該溝部を介して超音波伝播媒体を前記試料の周囲に供給することを特徴とする請求項１記載の超音波顕微鏡。
【発明の詳細な説明】
【０００１】
【発明が属する技術分野】
本発明は、試料台に載置された試料及び顕微鏡本体の下端に超音波伝播媒体を僅かずつ供給するようにした超音波顕微鏡に関するものである。
【０００２】
【従来の技術】
従来、図２に示すように、駆動装置１の上に試料台２が図の左右に移動するように装着され、この試料台２の上に試料３が載置され、試料３に対向して超音波顕微鏡本体４が装着され、試料台２の上に試料３及び顕微鏡本体４の下端を覆うように超音波伝播媒体（水）５が供給されて、試料台２の移動方向に対して超音波顕微鏡本体４をほぼ直交するように移動して、超音波顕微鏡本体４から試料３に超音波を照射し、その反射波を超音波顕微鏡本体４で受信して、試料３の超音波特性を検出するようにしている。
【０００３】
【発明が解決しようとする課題】
しかしながら、このように構成した従来の超音波顕微鏡では、試料台２の上に供給口６ａが細くなった供給容器６から超音波伝播媒体を供給するとき、供給口６ａの先端が試料２や顕微鏡本体４に触れたり、又、供給容器６から超音波伝播媒体を徐々に僅かずつ供給して、超音波伝播媒体５の液溜まりを作らないと、超音波伝播媒体５が飛んでしまうという問題があった。
【０００４】
【課題を解決しようとする手段】
本発明は、駆動装置で一方向に前後可能に装着された試料台と、該試料台の上に装着された試料と、該試料に対向して装着され、前記駆動装置で移動される試料台の移動方向に対して直交方向に移動可能に装着された顕微鏡本体と、該顕微鏡本体の側面に装着され、前記顕微鏡本体の下方に延びている伝播媒体供給部材とからなり、該超音波伝播媒体供給部材に沿って超音波伝播媒体を供給容器から前記試料の周囲に供給するものであり、又、前記伝播媒体供給部材を前記顕微鏡本体に取り外し可能に装着するものであり、さらに、前記伝導媒体供給部材は長さ方向に中空部を構成し、該中空部を介して超音波伝播媒体を前記試料の周囲に供給するものであり、又、前記伝導媒体供給部材は長さ方向に溝部を構成し、該溝部を介して超音波伝播媒体を前記試料の周囲に供給するものである。
【０００５】
【発明の実施の形態】
本発明は、超音波顕微鏡本体に取り付けた播媒体供給部材に沿って供給容器から超音波伝播媒体を供給するか、伝播媒体供給部材に中空部を構成し、この中空部を通して供給するか、又は伝播媒体供給部材に溝を構成し、この溝を通して超音波伝播媒体を供給すると、超音波顕微鏡本体に取り付けた伝播媒体供給部材は、超音波顕微鏡本体の下端に伸びているので、供給された伝播媒体は徐々に試料台の上で液溜まりが大きくなり、試料及び超音波顕微鏡本体の先端を覆うようになるので、供給容器の供給口で試料や超音波顕微鏡本体に触れることがなく、又、液溜まりを作るときに超音波伝播媒体が飛んでしまうことがない。
【０００６】
【実施例】
図１は本発明の実施例の超音波顕微鏡の構成図で、１は駆動装置、２は試料台、３は試料、４は超音波顕微鏡本体、５は液溜まり、６は供給容器でこれらの構成は上記従来例と同じであるので、説明は省略するが、本実施例では、超音波顕微鏡本体の側部に伝播媒体供給部材７の一端７ａが固着され、伝播媒体供給部材７の下端７ｂは超音波顕微鏡本体４の下方に曲げられている。
【０００７】
このように構成した本実施例の超音波顕微鏡では、伝播媒体供給部材７に沿って供給容器６の供給口６ａから供給された超音波伝播媒体を供給すると、超音波伝播媒体は伝播媒体供給部材７の側面を伝わり、下端７ｂに沿って試料台２の上に溜まり、さらに、超音波伝播媒体を供給することにより、この液溜まり５は徐々に大きくなるので、供給容器６の供給口６ａが超音波顕微鏡本体４や試料３に触れることがなく、又、伝播媒体の液溜まり５を吹き飛ばすことがなく、液溜まり５を大きく形成することができる。
【０００８】
図２は本発明の他の実施例の超音波顕微鏡の構成図で、１は駆動装置、２は試料台、３は試料、４は超音波顕微鏡本体、５は液溜まり、６は供給容器、７は伝播媒体供給部材で、これらの構成は上記実施例と同じであるので、説明は省略するが、本実施例では、伝播媒体供給部材７の上端に供給部７ｃを構成し、この供給部７ｃに接続された中空部７ｄを構成し、さらに、超音波顕微鏡本体４の下方に曲げられた下端７ｂに中空部７ｄが伸びている。
【０００９】
このように構成した本実施例では、超音波伝播媒体は伝播媒体供給部材７の供給部７ｃから中空部７ｄを伝わって試料台２の上に溜まり、さらに、超音波伝播媒体を供給することにより、この液溜まり５を徐々に大きくなるので、供給容器６の供給口６ａが超音波顕微鏡本体４や試料３に触れることがなく、又、伝播媒体の液溜まり５を吹き飛ばすことがなく、液溜まり５を大きく形成することができる。
【００１０】
なお、上記実施例では、伝播媒体供給部材７を超音波顕微鏡本体４の側部に固着するようにしたが、取り外し可能なように取り付けてもよいし、又、超音波顕微鏡本体４に回動可能に装着してもよいし、又、伝播媒体供給部材７の側面から下端に溝を形成してもよい。
【００１１】
【発明の効果】
以上説明したように、本発明の超音波顕微鏡では、超音波顕微鏡本体に取り付けた播媒体供給部材に沿って供給容器から超音波伝播媒体を供給するか、伝播媒体供給部材に中空部を構成し、この中空部を通して供給するか、又は伝播媒体供給部材に溝を構成し、この溝を通して超音波伝播媒体を供給することにより、超音波顕微鏡本体に取り付けた伝播媒体供給部材は、超音波顕微鏡本体の下端に伸びているので、供給された伝播媒体は徐々に試料台の上で液溜まりが大きくなり、試料及び超音波顕微鏡本体の先端を覆うようになるので、供給容器の供給口で試料や超音波顕微鏡本体に触れることがなく、又、液溜まりを作るときに超音波伝播媒体が飛んでしまうことがないという利点がある。
【図面の簡単な説明】
【図１】図１は本発明の実施例の超音波顕微鏡の一部の構成図である。
【図２】図２は本発明の他の実施例の超音波顕微鏡の一部の構成図である。
【図３】図２は従来の超音波顕微鏡の一部の構成図である。
【符号の説明】
１          駆動装置
２          試料台
３          試料
４          超音波顕微鏡本体
５          液溜まり
６          供給容器
７          伝播媒体供給部材
【図１】
2005043114.tif 000003
【図２】
2005043114.tif 000004
【図３】
2005043114.tif 000005